(57)【特許請求の範囲】
【請求項１】
カラオケルームに設置されてカラオケ演奏が始まるまでの間で所定映像を再生表示するカラオケ端末とサーバとが通信可能に接続されたカラオケシステムであって、
前記サーバは、
公開用にアップロードされた利用者の前記カラオケルームにおける歌唱の歌唱映像のデータを、当該利用者の利用者ＩＤ及び歌唱した楽曲の楽曲ＩＤと共に記憶するものであり、複数の利用者が歌唱してなるコラボ歌唱映像のデータを、当該複数の利用者の利用者ＩＤ及び歌唱した楽曲の楽曲ＩＤと共に記憶する記憶手段と、
前記カラオケ端末から送信された利用者ＩＤに関する情報を取得する利用者ＩＤ取得手段と、
取得した情報の利用者ＩＤに基づいて前記記憶手段から歌唱映像データを抽出するものであり、複数の利用者ＩＤに対応した一つの歌唱映像データを抽出した場合に当該歌唱映像データをコラボ歌唱映像のデータと判断する歌唱映像抽出手段と、
抽出された歌唱映像データをその楽曲ＩＤ及び利用者ＩＤと共に前記カラオケ端末に送信するものであり、前記コラボ歌唱映像データを楽曲ＩＤ及び当該複数の利用者ＩＤと共に前記カラオケ端末に送信する歌唱映像送信手段と、を備え、
前記カラオケ端末は、
一または複数の利用者のログインを受け付けるログイン手段と、
前記ログインした利用者の利用者ＩＤに関する情報を前記サーバに送信する利用者ＩＤ送信手段と、
前記サーバから送信されてきた歌唱映像データを楽曲ＩＤ及び利用者ＩＤと共に取得する歌唱映像取得手段と、
取得した前記歌唱映像データを楽曲ＩＤ及び利用者ＩＤと共に記憶する一時記憶手段と、
取得した楽曲ＩＤ及び利用者ＩＤに基づいて前記歌唱映像データをカラオケ演奏が始まるまでの曲間映像として再生するリストを作成するものであり、前記サーバより取得した前記コラボ歌唱映像データを優先的に再生するよう再生順序を決定する曲間再生リスト作成手段と、
カラオケ楽曲が演奏中か否かを判定する曲間判定手段と、
前記曲間判定手段によりカラオケ楽曲が演奏中ではないと判定される期間に、前記作成された曲間再生リストに基づいて、前記一時記憶手段から歌唱映像データを読み出して、楽曲ＩＤに対応したカラオケ楽曲と共に再生表示させる曲間再生制御手段と、
を備えることを特徴とするカラオケシステム。
【請求項２】
請求項１記載のカラオケシステムであって、
前記サーバの記憶手段は、少なくとも同伴者の情報を含む利用者の利用履歴を利用者ＩＤと紐付けて記憶し、
前記サーバの歌唱映像抽出手段は、前記利用者ＩＤ取得手段で取得した総ての利用者ＩＤに基づいて前記記憶手段から歌唱映像データを抽出できなかった場合に、当該利用者ＩＤに対応する前記記憶手段に記憶されている利用履歴を元に同伴者の利用者ＩＤを特定し、当該同伴者の利用者ＩＤに基づいて前記記憶手段から歌唱映像データを抽出する、
ことを特徴とするカラオケシステム。
【発明の詳細な説明】
【技術分野】
【０００１】
本発明は、カラオケ演奏が始まるまでの間で所定の映像を再生表示させるカラオケシステムに関する。
【背景技術】
【０００２】
近年、通信ネットワークの接続自在なカラオケ端末の高機能化に伴い、歌唱のためのカラオケ演奏以外にも種々のサービスを提供できるようになっている。例えば、カラオケ演奏が始まるまでの間に提供されるサービスがあり、このようなサービスにおいてはカラオケ演奏が始まるまでに再生する映像等が利用者等の歌唱に関連したものであることが望ましい。
【０００３】
従来、カラオケ演奏が始まるまでは、基本的にはカラオケ装置は動作していないため、これを利用してＢＧＭを提供してその場つなぎのための工夫などが特許文献１，２などで提案されている。例えば、特許文献１には、１台のカラオケ装置により、カラオケモードとＢＧＭ（バックグラウンドミュージック）モードとを選択可能とし、カラオケモードではカラオケ演奏データと歌詞データを再生し、ＢＧＭモードではカラオケ演奏データと歌声データを再生することにより、効率よく曲間ＢＧＭを提供できる技術が開示されている。特許文献２には、多数のカラオケ演奏の合間に違和感なく曲間ＢＧＭを提供するために、再生されるカラオケ楽曲と同じジャンルのコンテンツをインターネットラジオ曲から受信して曲間ＢＧＭとして再生する技術が開示されており、これにより、データの蓄積が不要で最新の曲を曲間ＢＧＭにすることもできるとしている。
【０００４】
また、カラオケルームにおけるカラオケ装置には歌詞表示や背景映像を表示するためのディスプレイが備わっており、歌詞表示や背景映像のリソースを利用したカラオケ演奏が始まるまでの曲間サービスも特許文献３，４などで提案されている。例えば、特許文献３には、カラオケルームにログインした複数利用者の属性情報の共通項目に基づいて曲間ＣＭ映像を抽出して再生する技術が開示されており、特定の一人に偏らず役立つ情報を提供できるとしている。特許文献４には、利用者が撮影した画像をリソースとして表示するもので、当該画像に対して有意に関連するような楽曲を選定し曲間ＢＧＭとして提供することで、より積極的かつ視覚的に曲間を利用しようとする技術が開示されている。
【０００５】
一方で、カラオケルームで利用者が歌唱する映像を撮影、録画し、歌唱映像として公開サーバにて閲覧可能とするサービスも普及している。このようなサービスの提供により、自分の歌唱映像を多くの人に観て欲しいという利用者の要望だけでなく、好みに合った歌唱者の歌唱映像や、レベルの高い歌唱映像を観てみたいという要望にも応えることができる。そして、公開された歌唱映像をカラオケルームでダウンロードして再生させながら自らも歌唱、撮影し、新たな歌唱映像（コラボレーション歌唱映像）としてアップロードして公開することも可能になっている。例えば、特許文献５には、コラボレーション映像の生成に関する技術が開示されており、特許文献６には、アップロード、公開された歌唱映像を紹介する広告の効果的な提示に関する技術が開示されている。
【先行技術文献】
【特許文献】
【０００６】
【特許文献１】特開平０７−２６１７７７号公報
【特許文献２】特開２００５−０５５６２７号公報
【特許文献３】特開２００６−１７８２４７号公報
【特許文献４】特開２００９−００８８３１号公報
【特許文献５】特開２０１４−１０９６５８号公報
【特許文献６】特開２０１４−１９１３１７号公報
【発明の概要】
【発明が解決しようとする課題】
【０００７】
しかしながら、特許文献３，４に記載の技術を用いることは、単なる曲間ＢＧＭの再生だけでなく、利用者、特に複数の利用者が楽しめる映像プログラムを曲間で提供することができるが、特許文献３の技術はそもそもＣＭ映像を提供することを目的としており、さらに複数利用者の属性情報から最大公約数的な観点で曲間ＣＭ映像を抽出するため、よりその場の雰囲気を発揚させるような曲間映像を期待することは難しく、また、特許文献４に記載の技術は、利用者が撮影した映像に最適なＢＧＭを付与して提供することを目的としており、このような映像でその場の雰囲気を発揚させるかどうかは、撮影者の撮影意図やその場の雰囲気に影響される。
【０００８】
一方で、特許文献５，６で開示されている技術によれば、公開サーバにおいて大量の歌唱動画を記憶、公開することが可能であるが、多くの聴衆が望む歌唱映像（需要）と歌唱映像をアップロードした利用者の意図（供給）との間にはギャップがあり、歌唱映像の多くはアップロード自体で満足する傾向にあって、第三者によって閲覧されたりコラボレーション歌唱映像の作成に利用されたりする歌唱映像はそのごく一部で、その後は有効活用されていないのが現状である。
【０００９】
そこで、本発明は上記課題に鑑みなされたもので、利用者に関連するアップロードされた歌唱映像を曲間で表示可能としてカラオケ歌唱空間の場の雰囲気を発揚させるカラオケシステムを提供することを目的とする。
【課題を解決するための手段】
【００１０】
上記課題を解決するために、請求項１の発明では、カラオケルームに設置されてカラオケ演奏が始まるまでの間で所定映像を再生表示するカラオケ端末とサーバとが通信可能に接続されたカラオケシステムであって、前記サーバは、公開用にアップロードされた利用者の前記カラオケルームにおける歌唱の歌唱映像のデータを、当該利用者の利用者ＩＤ及び歌唱した楽曲の楽曲ＩＤと共に記憶するものであり、複数の利用者が歌唱してなるコラボ歌唱映像のデータを、当該複数の利用者の利用者ＩＤ及び歌唱した楽曲の楽曲ＩＤと共に記憶する記憶手段と、前記カラオケ端末から送信された利用者ＩＤに関する情報を取得する利用者ＩＤ取得手段と、取得した情報の利用者ＩＤに基づいて前記記憶手段から歌唱映像データを抽出するものであり、複数の利用者ＩＤに対応した一つの歌唱映像データを抽出した場合に当該歌唱映像データをコラボ歌唱映像のデータと判断する歌唱映像抽出手段と、抽出された歌唱映像データをその楽曲ＩＤ及び利用者ＩＤと共に前記カラオケ端末に送信するものであり、前記コラボ歌唱映像データを楽曲ＩＤ及び当該複数の利用者ＩＤと共に前記カラオケ端末に送信する歌唱映像送信手段と、を備え、前記カラオケ端末は、一または複数の利用者のログインを受け付けるログイン手段と、前記ログインした利用者の利用者ＩＤに関する情報を前記サーバに送信する利用者ＩＤ送信手段と、前記サーバから送信されてきた歌唱映像データを楽曲ＩＤ及び利用者ＩＤと共に取得する歌唱映像取得手段と、取得した前記歌唱映像データを楽曲ＩＤ及び利用者ＩＤと共に記憶する一時記憶手段と、取得した楽曲ＩＤ及び利用者ＩＤに基づいて前記歌唱映像データをカラオケ演奏が始まるまでの曲間映像として再生するリストを作成するものであり、前記サーバより取得した前記コラボ歌唱映像データを優先的に再生するよう再生順序を決定する曲間再生リスト作成手段と、カラオケ楽曲が演奏中か否かを判定する曲間判定手段と、前記曲間判定手段によりカラオケ楽曲が演奏中ではないと判定される期間に、前記作成された曲間再生リストに基づいて、前記一時記憶手段から歌唱映像データを読み出して、楽曲ＩＤに対応したカラオケ楽曲と共に再生表示させる曲間再生制御手段と、を備える構成とする。
【００１１】
請求項２の発明では、前記サーバの記憶手段は、少なくとも同伴者の情報を含む利用者の利用履歴を利用者ＩＤと紐付けて記憶し、前記サーバの歌唱映像抽出手段は、前記利用者ＩＤ取得手段で取得した総ての利用者ＩＤに基づいて前記記憶手段から歌唱映像データを抽出できなかった場合に、当該利用者ＩＤに対応する前記記憶手段に記憶されている利用履歴を元に同伴者の利用者ＩＤを特定し、当該同伴者の利用者ＩＤに基づいて前記記憶手段から歌唱映像データを抽出する構成とする。
【発明の効果】
【００１２】
請求項１の発明によれば、カラオケ端末にログインした利用者の利用者ＩＤに関する情報をサーバに送信し、サーバが受信して取得した情報の利用者ＩＤに基づいて記憶手段から歌唱映像データを抽出してカラオケ端末に送信し、カラオケ端末が送信されてきた歌唱映像データを楽曲ＩＤ及び利用者ＩＤと共に取得して一時記憶し、当該楽曲ＩＤ及び利用者ＩＤに基づいて歌唱映像データを曲間映像として再生するリストを作成し、カラオケ楽曲が演奏中ではないと判定される期間に、作成された曲間再生リストに基づいて、歌唱映像データを読み出して、楽曲ＩＤに対応したカラオケ楽曲と共に再生表示させるものであり、サーバの記憶手段に、複数の利用者が歌唱してなるコラボ歌唱映像のデータを当該複数の利用者の利用者ＩＤ及び歌唱した楽曲の楽曲ＩＤと共に記憶し、受信した利用者ＩＤに基づき複数の利用者ＩＤに対応した一つの歌唱映像データを抽出した場合にコラボ歌唱映像のデータと判断して当該コラボ歌唱映像データを楽曲ＩＤ及び当該複数の利用者ＩＤと共に前記カラオケ端末に送信し、カラオケ端末の曲間再生リスト作成手段が、サーバより取得した前記コラボ歌唱映像データを優先的に再生するよう再生順序を決定する構成とすることにより、利用者に関連するアップロードされた歌唱映像を曲間で表示させることを可能としてログインした利用者同士のコラボ歌唱動画を優先的に再生することから、カラオケ歌唱空間の場の雰囲気を発揚させることができるものである。
【００１４】
請求項２の発明によれば、サーバの記憶手段が、少なくとも同伴者の情報を含む利用者の利用履歴を利用者ＩＤと紐付けて記憶し、取得した総ての利用者ＩＤに基づいて記憶手段から歌唱映像データを抽出できなかった場合に、当該利用者ＩＤに対応する記憶手段に記憶されている利用履歴を元に同伴者の利用者ＩＤを特定し、当該同伴者の利用者ＩＤに基づいて前記記憶手段から歌唱映像データを抽出する構成とすることにより、ログイン利用者の歌唱動画が存在しない場合でも、過去の同伴者の歌唱映像が存在すればそれを再生することから、各利用者に対して話題性を提供することができるものである。
【図面の簡単な説明】
【００１５】
【図１】本発明に係るカラオケシステムにおけるカラオケ端末のブロック構成図である。
【図２】本発明に係るカラオケシステムにおけるサーバの構成説明図である。
【図３】図１のカラオケ端末でのログイン処理のフローチャートである。
【図４】図２のサーバでの歌唱映像取得のフローチャートである。
【図５】図１のカラオケ端末での歌唱映像再生のフローチャート及び曲間再生リストの説明図である。
【図６】図１の曲間再生リストの他の作成例の説明図である。
【図７】ログインした利用者の歌唱映像が存在しない場合の曲間再生リストの作成例の説明図である。
【発明を実施するための形態】
【００１６】
以下、本発明の実施形態を図により説明する。
図１に、本発明に係るカラオケシステムにおけるカラオケ端末のブロック構成図を示す。図１において、カラオケ端末１１は、主要装置としてのカラオケ本体１２に、有線又は無線で外部接続されるものとして、表示部１３、ミキシングアンプ１４、マイク１５、スピーカ１６、遠隔入出力装置１７が接続される。
【００１７】
上記表示部１３は、通常の楽曲選曲表示やカラオケ演奏時の背景映像等を表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる音楽演奏信号に、マイク１５からの音声信号をミキシングし、増幅してスピーカ１６より出力する。
【００１８】
上記遠隔入出力装置１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、少なくともログイン・ログアウト処理手段１７Ａ、楽曲検索手段としての選曲楽曲登録手段１７Ｂを適宜備える。
【００１９】
上記ログイン・ログアウト処理手段１７Ａは、一又は複数の利用者によるログイン操作に応じて当該利用者より利用者ＩＤを取得してログインを許可する処理を行うと共に、ログアウト操作に応じて利用終了の処理を行い、ログイン処理で取得した利用者ＩＤを後述のカラオケ本体１２のＲＡＭ２３の利用者情報４２の記憶領域に記憶するプログラムである。選曲楽曲登録手段１７Ｂは、楽曲を検索させ、選曲させるテーブルを備えて選曲された楽曲をカラオケ本体１２におけるＲＡＭ２３の予約待ち行列４１に登録するプログラムである。
【００２０】
上記カラオケ本体１２は、バス２０、中央制御部２１、ＲＯＭ２２、ＲＡＭ２３、映像表示制御手段２４、再生手段２５、送受信部２６Ａ，２６Ｂ、記憶部２７、利用者ＩＤ送信手段３１、歌唱映像取得手段３２、曲間再生リスト作成手段３３、曲間判定手段３４及び曲間再生制御手段３５を備える。上記ＲＡＭ２３には予約待ち行列４１、利用者情報４２、歌唱映像データ４３及び曲間再生リスト４４の記憶領域が形成される。また、記憶部２７には、楽曲データベース（楽曲ＤＢ）５１、楽曲映像データベース（楽曲映像ＤＢ）５２及び曲間映像データベース（曲間映像ＤＢ５３）が記憶される。なお、上記各構成について、本発明の要旨と直接関連しない要素部分であっても、従前のカラオケ端末においても大部分が適用可能であることを示すために、構成要素の全体を説明する。
【００２１】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、予約待ち行列４１、利用者情報４２、歌唱映像データ４３及び曲間再生リスト４４の記憶領域が形成される他に、上記種々のプログラムを展開、実行させるための作業領域としての役割をなすもので、例えば半導体メモリで構成され、仮想的にハードディスク上に構築される場合をも含む概念である。
【００２２】
上記映像表示制御手段２４は、演奏時に、楽曲映像ＤＢ５２より抽出された背景映像及び楽曲ＤＢ５１より抽出された楽曲の歌詞データを表示部１３に出力すると共に、カラオケ演奏が始まるまでの期間で歌唱映像データを表示部１３に出力するプログラム乃至電子回路である。上記再生手段２５は、カラオケ演奏データ及び歌唱映像の演奏データを再生して演奏音響信号を生成するプログラムである。例えば、シーケンスプログラムを備え、楽曲ＩＤで楽曲ＤＢ５１より抽出された音符データに従って音源（シンセサイザ）を駆動してミキシングアンプ１４に出力する。
【００２３】
上記送受信部２６Ａは、遠隔入出力装置１７との間で有線方式ないし無線方式（ＩＲ方式やブルートゥース（登録商標）機構のピコネット接続方式など）を利用してデータ授受を行うためのもので、そのための電子回路及びプログラムである。上記送受信部２６Ｂは、カラオケ本体１２とサーバ６２とが通信ネットワーク６１を介してデータ授受を行うための物理的な通信用回路やプラットフォーム等のソフトウエアにより構成されるものである。
【００２４】
上記記憶部２７に記憶されている楽曲ＤＢ５１は、楽曲毎に、音符データ、歌詞データなどを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）等で構成される楽曲データ（ファイル）について当該楽曲ＩＤをファイル名としてそれぞれ格納したデータベースである。上記記憶部２７に記憶されている楽曲映像ＤＢ５２は、楽曲毎に応じた背景映像データについて楽曲ＩＤをファイル名としてそれぞれ格納したデータベースである。
【００２５】
上記記憶部２７に記憶されている曲間映像ＤＢ５３は、カラオケ演奏が始まるまでの間であって、歌唱映像データの再生終了後に再生対象とする所定数のＣＭ映像及び所定数のムード映像などの映像データを格納したデータベースである。
【００２６】
上記利用者ＩＤ送信手段３１は、ＲＡＭ２３の利用者情報４２の記憶領域に記憶されているログインした利用者の利用者ＩＤに関する情報（例えば、利用者ＩＤ、同伴者フラグ付き利用者ＩＤなど）をサーバに送信するプログラムである。上記歌唱映像取得手段３２は、サーバ６２から送信されてきた歌唱映像データを楽曲ＩＤ及び利用者ＩＤと共に取得して、当該歌唱映像データを楽曲ＩＤ及び利用者ＩＤと共に一時記憶手段としてのＲＡＭ２３の歌唱映像データ４３の記憶領域に記憶するプログラムである。
【００２７】
上記曲間再生リスト作成手段３３は、取得してＲＡＭ２３の歌唱映像データ４３の記憶領域に記憶した楽曲ＩＤ及び利用者ＩＤに基づいて前記歌唱映像データを曲間映像として再生するリストを作成して、ＲＡＭ２３の曲間再生リスト４４の記憶領域に記憶するプログラムである。具体的には、図５〜図７で説明する。
【００２８】
上記曲間判定手段３４は、カラオケ楽曲が演奏中か否か、すなわちカラオケ楽曲の演奏が開始されていない期間を判定するプログラムであり、利用者のログインから最初のカラオケ楽曲が演奏するまでの期間や、カラオケ楽曲の演奏終了から次のカラオケ楽曲の演奏までの期間、また、カラオケ楽曲の演奏終了からログアウトまでの期間が曲間としての対象となる。
【００２９】
上記曲間再生制御手段３５は、曲間判定手段３４によりカラオケ楽曲が演奏中ではないと判定される期間に、曲間再生リスト作成手段３３で作成され、ＲＡＭ２３に記憶された曲間再生リスト４４に基づいて、ＲＡＭ２３の歌唱映像データ４３から歌唱映像データを読み出して、楽曲ＩＤに対応したカラオケ楽曲と共に再生手段２５で再生させると共に、表示部１３で表示させるプログラムである。
【００３０】
続いて、図２に、本発明に係るカラオケシステムにおけるサーバの構成説明図を示す。図２（Ａ）において、サーバ６２は、インターネットなどの通信ネットワーク６１を介して端末としての所定数のカラオケ端末１１（１１Ａ〜１１Ｎ）を管理し、当該各カラオケ端末１１に対する楽曲データの配信や各種データを送受すると共に、利用者がカラオケルームで歌唱して記録した歌唱映像を、一般公開を目的として蓄積（「アップロード」と称する）し、通信ネットワーク６１上で一般閲覧させる公開サーバとしての機能（図示を省略する）をも備えた装置である。
【００３１】
サーバ６２は、図２（Ｂ）に示すように、少なくとも制御部７１、ネットワーク送受信部７２、利用者ＩＤ取得手段７３、歌唱映像抽出手段７４、歌唱映像送信手段７５、利用者情報更新手段７６、ＲＡＭ７７及び記憶部７８を備える。ＲＡＭ７７には取得利用者情報７９及び抽出歌唱映像データ８０それぞれの記憶領域が形成され、記憶部７８には利用者情報データベース（利用者情報ＤＢ）８１及び記憶手段であるアップロード歌唱映像データベース（アップロード歌唱映像ＤＢ）８２が記憶される。
【００３２】
上記制御部７１は、当該サーバ６２を統括的に制御する物理的なＣＰＵであり、図示しないＲＯＭに格納されているプログラムを実行処理して統括的な処理を行う。上記ネットワーク送受信部７２は、各カラオケ端末１１（１１Ａ〜１１Ｎ）との通信（データ授受）を行うために、通信ネットワーク６１の通信方式と整合性をとるための例えば物理的な通信用回路やプラットフォーム等のソフトウエアにより構成される。
【００３３】
上記利用者ＩＤ取得手段７３は、所定のカラオケ端末１１から通信ネットワーク６１を介して送信された利用者ＩＤに関する情報を取得し、ＲＡＭ７７に取得利用者情報７９として記憶するプログラムである。上記歌唱映像抽出手段７４は、取得してＲＡＭ７７に記憶した情報の利用者ＩＤに基づいて記憶部７８のアップロード歌唱映像ＤＢ８２から歌唱映像データを抽出して、ＲＡＭ７７に抽出歌唱映像データ８０として利用者ＩＤ、楽曲ＩＤと共に記憶するプログラムである。
【００３４】
上記歌唱映像送信手段７５は、抽出してＲＡＭ７７に記憶された歌唱映像データをその楽曲ＩＤ及び利用者ＩＤと共に対応のカラオケ端末１１に送信するプログラムである。上記利用者情報更新手段７６は、各カラオケ端末１１より送られてくる利用者ＩＤに関連付けられた新たなカラオケ利用の情報、特に同伴者の利用者ＩＤを含む利用者情報に基づいて利用者情報ＤＢ８１の該当情報を更新するプログラムである。
【００３５】
上記ＲＡＭ７７は、取得利用者情報７９及び抽出歌唱映像データ８０それぞれの記憶領域が形成される他に、上記種々のプログラムを展開、実行させるための作業領域としての役割をなすもので、例えば半導体メモリで構成され、仮想的にハードディスク上に構築される場合をも含む概念である。
【００３６】
上記記憶部７８に記憶されている上記利用者情報ＤＢ８１は、図２（Ｃ）に示すように、利用者の利用者ＩＤと属性情報とが関連付けられた顧客情報を格納するデータベースである。その属性情報としては、図示しない氏名、住所、セカンドネーム等の書誌的な情報の他に、当該利用者の利用日、歌唱した歌唱楽曲ＩＤ及び同伴者（利用者ＩＤ）の利用者履歴情報を少なくとも含む。
【００３７】
上記記憶部７８に記憶されている上記アップロード歌唱映像ＤＢ８２は、利用者がカラオケルームで歌唱して記録した歌唱映像を、一般公開を目的としてアップロードした歌唱映像データを、歌唱した一又は複数の利用者の利用者ＩＤを関連付けて格納したデータベースである。
【００３８】
そこで、図３に図１のカラオケ端末でのログイン処理のフローチャートを示すと共に、図４に図２のサーバでの歌唱映像取得のフローチャート及び検索結果の説明図を示し、図５に、図１のカラオケ端末での歌唱映像再生のフローチャート及び曲間再生リストの説明図を示す。
【００３９】
まず、図３において、利用者による遠隔入出力装置１７を用いたログイン要求に応じてログイン・ログアウト処理手段１７Ａのログイン処理が開始され、利用者ＩＤの要求に対して当該利用者より利用者ＩＤを取得し、一旦ＲＡＭ２３の利用者情報４２に記憶する（ステップ１（Ｓ１））。この処理が総ての利用者のログイン要求に応じて行われる（Ｓ２）。ここでは、例えば、３人の利用者Ａ，Ｂ，Ｃがログインしたものとし、各利用者ＩＤ（Ｃｉｄ−Ａ、Ｃｉｄ−Ｂ、Ｃｉｄ−Ｃ）を取得してＲＡＭ２３の利用者情報４２にそれぞれ利用者ＩＤが関連付けられて記憶されたものとする。
【００４０】
そして、ログイン処理が終了すると、利用者ＩＤ送信手段３１が、ＲＡＭ２３の利用者情報４２に記憶された総ての利用者ＩＤ（Ｃｉｄ−Ａ、Ｃｉｄ−Ｂ、Ｃｉｄ−Ｃ）を、送受信部２６Ｂ、通信ネットワーク６１を介してサーバ６２に送信する（Ｓ３）。
【００４１】
サーバ６２では、図４（Ａ）に示すように、利用者ＩＤ取得手段７３がカラオケ端末１１より送信されてきた総ての利用者ＩＤ（Ｃｉｄ−Ａ、Ｃｉｄ−Ｂ、Ｃｉｄ−Ｃ）を取得し、ＲＡＭ７７の取得利用者情報７９に一旦記憶する（Ｓ１１）。そこで、歌唱映像抽出手段７４が、取得利用者情報７９に記憶した各利用者ＩＤのうち、まず一の利用者ＩＤ（利用者ＡのＣｉｄ−Ａとする）に基づいてアップロード歌唱映像ＤＢ８２より当該利用者がアップロードした歌唱映像を検索して抽出する（Ｓ１２）。
【００４２】
抽出された場合には（Ｓ１３）、抽出された歌唱映像データを利用者ＩＤ（Ｃｉｄ−Ａ）、当該歌唱楽曲の楽曲ＩＤと共にＲＡＭ７７の抽出歌唱映像データ８０に記憶する（Ｓ１４）。Ｓ１３において、抽出されなかった場合、若しくはＳ１４の処理が終了したときに、次の利用者ＩＤ（Ｃｉｄ−Ｂ）について（Ｓ１５）、アップロード歌唱映像ＤＢ８２より当該利用者がアップロードした歌唱映像を抽出する（Ｓ１２）。抽出された場合には（Ｓ１３）、抽出された歌唱映像データを利用者ＩＤ（Ｃｉｄ−Ｂ）、当該歌唱楽曲の楽曲ＩＤ共にＲＡＭ７７の抽出歌唱映像データ８０に記憶する（Ｓ１４）。そして、総ての利用者ＩＤ（利用者ＣのＣｉｄ−Ｃ）まで処理を繰り返す（Ｓ１２〜Ｓ１５）。
【００４３】
例えば、利用者Ａのアップロードした歌唱映像データ００１、００２、００３と、利用者Ｂのアップロードした歌唱映像００４、００５が抽出されたものとし（それぞれの楽曲ＩＤは、Ｓｉｄ−０１、Ｓｉｄ−０２、Ｓｉｄ−０３、Ｓｉｄ−０４、Ｓｉｄ−０５とする）、利用者Ｃがアップロードした歌唱映像は抽出されなかったものとする。その抽出結果の一例が図４（Ｂ）に示される。なお、この例では、少なくとも一の歌唱映像データが抽出されるものとして説明している。一つも抽出されない場合の形態は図７で説明する。
【００４４】
そして、歌唱映像送信手段７５が、ＲＡＭ７７に記憶された総ての抽出歌唱映像データ８０を利用者ＩＤ、楽曲ＩＤと共に対象のカラオケ端末１１に送信する（Ｓ１６）。
【００４５】
カラオケ端末１１では、図５（Ａ）に示すように、歌唱映像取得手段３２が、サーバ６２より送信されてきた総ての歌唱映像データを利用者ＩＤ、楽曲ＩＤと共に受信して取得し、ＲＡＭ２３の歌唱映像データ４３に一時記憶する（Ｓ２１）。
【００４６】
そこで、曲間再生リスト作成手段３３が、ＲＡＭ２３に記憶されている歌唱映像データ及び楽曲ＩＤに基づいて曲間再生リストを作成する（Ｓ２２）。リスト作成処理は、例えば、ｉ）１度の曲間で１つの歌唱映像を再生する、ｉｉ）歌唱映像再生終了後は予め用意されたＣＭ映像等の曲間プログラムを提供する、ｉｉｉ）複数の利用者の歌唱映像を受信した時には、同じ利用者の歌唱映像を連続させない、ことを条件として作成する。
【００４７】
上記作成されたリストは、例えば図５（Ｂ）に示され、ＲＡＭ２３に曲間再生リスト４４として記憶される。そして、曲間再生リスト４４に基づいてリスト順に歌唱映像データを再生すると共に、楽曲ＩＤより楽曲ＤＢ５１から楽曲データを読み出して再生する（Ｓ２３）。
【００４８】
図５（Ｂ）に示す曲間再生リスト４４における曲間「０」は、利用者がログインした後、最初の歌唱のためのカラオケ演奏の開始が指示されるまでの期間であり、特に、ログイン直後から仲間（利用者の一人で利用者ＩＤがＣｉｄ−Ａ）の歌唱映像が再生されるため、一気にその場の雰囲気を発揚させることができるものである。カラオケ端末１１では曲間再生リスト４４が生成された後、曲間「０」の歌唱映像００１を、カラオケ演奏（楽曲ＩＤはＳｉｄ−０１）と共に再生開始する。また、歌唱映像００１の再生終了後は（Ｓ２４）、当該曲間再生リスト４４に設定された「歌唱映像終了後の曲間プログラム」のＣＭ映像１を曲間映像ＤＢ５３より読み出して提供する（Ｓ２５）。
【００４９】
歌唱映像００１の再生中あるいはＣＭ映像１の提供中に、利用者により選択、予約された楽曲のカラオケ演奏の開始が指示された場合には（Ｓ２６）、歌唱映像００１あるいはＣＭ映像１の再生を中止し、カラオケ演奏を開始する（Ｓ２７）。曲間判定手段３４は、カラオケ端末１１の曲間を常に監視しており、選択、予約されたカラオケ演奏が終了すると曲間と判定し（Ｓ２８）、ログアウト要求がされないときに（Ｓ２９）、曲間再生リスト４４のリスト順に曲間「１」の歌唱映像００４をカラオケ演奏（楽曲ＩＤはＳｉｄ−４）と共に再生開始する（Ｓ２３）。すなわち、ログアウト要求がされるまで（Ｓ２９）、Ｓ２３〜Ｓ２８を繰り返すものである。
【００５０】
なお、曲間再生リスト４４に沿った処理が最後まで実行された後は、再び、曲間再生リスト４４の先頭から処理を実行してもよく、また、歌唱映像の再生は終了し、予め用意された他のＣＭ映像等の曲間プログラムのみを提供してもよい。
【００５１】
次に、図６に、図１の曲間再生リストの他の作成例の説明図を示す。ここで、サーバ６２のアップロード歌唱映像ＤＢ８２には、複数の利用者が歌唱してなるコラボ歌唱映像のデータが、当該複数の利用者の利用者ＩＤ及び歌唱した楽曲の楽曲ＩＤと共に記憶される。また、サーバ６２の歌唱映像抽出手段７４は、複数の利用者ＩＤに対応した一つの歌唱映像データを抽出した場合に当該歌唱映像データをコラボ歌唱映像のデータと判断するプログラムを備える。
【００５２】
具体例で説明すると、まず、利用者Ｄ、Ｅ、Ｆがカラオケルームに設置されたカラオケ端末１１でログインしたとする。ＲＡＭ２３の利用者情報４２に基づき、利用者ＩＤ送信手段３１が３人分の利用者ＩＤ（Ｃｉｄ−Ｄ、Ｃｉｄ−Ｅ、Ｃｉｄ−Ｆ）をサーバ６２に送信する。
【００５３】
サーバ６２では、歌唱映像抽出手段７４が、受信した３人分の利用者ＩＤを元に、アップロードされた歌唱映像をアップロード歌唱映像ＤＢ８２より検索して抽出する。例えば、図６に示すように、利用者Ｄのアップロードした歌唱映像００６、００７、００８と、利用者Ｅのアップロードした歌唱映像００６、００８が検索、抽出され（それぞれの楽曲ＩＤは、Ｓｉｄ−０６、Ｓｉｄ−０７、Ｓｉｄ−０８）、利用者Ｆがアップロードした歌唱映像は抽出されなかったとする。
【００５４】
そこで、当該歌唱映像抽出手段７４は、複数の利用者ＩＤに対応した一つの歌唱映像データを抽出した場合に当該歌唱映像データをコラボ歌唱映像のデータと判断して当該複数の利用者ＩＤ、楽曲ＩＤと共にＲＡＭ７７の抽出歌唱映像データ８０に記憶する。そして、歌唱映像送信手段７５が、図６に示す抽出結果の３つの歌唱映像データ（００６、００７、００８）を利用者ＩＤ、楽曲ＩＤと共にカラオケ端末に送信する。
【００５５】
カラオケ端末１１では、歌唱映像取得手段３２が受信して取得した歌唱映像データを利用者ＩＤ、楽曲ＩＤと共にＲＡＭ２３の歌唱映像データ４３に一時記憶する。そして、曲間再生リスト作成手段３３が、図６に示すように、複数の利用者ＩＤに対応する上記コラボ歌唱映像の再生順序を優先したリストを生成してＲＡＭ２３の曲間再生リスト４４として記憶するものである。
【００５６】
次に、図７に、ログインした利用者の歌唱映像が存在しない場合の曲間再生リストの作成例の説明図を示す。この例では、例えば、利用者Ｇ、Ｈ、Ｉがカラオケルームに設置されたカラオケ端末でログインしたものとして、カラオケ端末１１（利用者ＩＤ送信手段３１）から３人分の利用者ＩＤ（Ｃｉｄ−Ｇ、Ｃｉｄ−Ｈ、Ｃｉｄ−Ｉ）がサーバ６２に送信され、サーバ６２（歌唱映像抽出手段７４）は受信した３人分の利用者ＩＤを元に、アップロード歌唱映像ＤＢ８２よりアップロードされた歌唱映像を検索するが、ログインした利用者の歌唱映像は一つも抽出されなかった形態である。
【００５７】
そこで、図７（Ａ）に示すように、歌唱映像抽出手段７４が、ＲＡＭ７７に記憶した取得利用者情報７９の総ての利用者ＩＤに基づき利用者情報ＤＢ８１の利用履歴のそれぞれの履歴情報より過去に一度でも同席したことがある同伴者総ての利用者ＩＤを特定する（Ｓ３１）。特定した同伴者総ての利用者ＩＤについてアップロード歌唱映像ＤＢ８２よりアップロードされている歌唱映像を検索して抽出し（Ｓ３２）、図７（Ｂ）に示すように、当該抽出した歌唱映像データを、特定した同伴者の利用者ＩＤ、楽曲ＩＤを関連付けてＲＡＭ７７の抽出歌唱映像データ８０に記憶する（Ｓ３３）。
【００５８】
そして、歌唱映像送信手段７５が、ＲＡＭ７７に記憶した抽出歌唱映像データ８０の総ての歌唱映像データを利用者ＩＤ、楽曲ＩＤと共に対象のカラオケ端末１１に送信する（Ｓ３４）。
【００５９】
カラオケ端末１２では、サーバ６２より送られてきた歌唱映像データの情報を歌唱映像取得手段３２が取得した利用者ＩＤ、楽曲ＩＤと共にＲＡＭ２３の歌唱映像データ４３に一時記憶する。そして、曲間再生リスト作成手段３３が、図７（Ｃ）に示すように、曲間で再生するリストを生成してＲＡＭ２３の曲間再生リスト４４として記憶するものである。
【００６０】
ところで、カラオケ端末１１では、図５（Ｂ）及び図６に示す曲間再生リスト４４に沿って曲間に歌唱映像の再生処理が最後まで実行された後の処理として、予めサーバ６２に対して、図７（Ａ）、（Ｂ）に示すような、ログインした利用者（利用者ＩＤ）の同伴者を特定して、当該同伴者の歌唱映像データ（利用者ＩＤ、楽曲ＩＤ）を送信させるようにしてもよいものである。
【００６１】
このように、ログイン直後を含む曲間に、ログインした利用者に関連した歌唱映像を再生可能としていることから、カラオケ歌唱空間の場の雰囲気を発揚させることができ、また、複数の利用者の歌唱映像が存在する場合には、曲間の度に曲間再生リストで順次再生されるため、飽きのこない再生を可能とすることができるものである。
【００６２】
また、ログインした利用者同志のコラボ歌唱動画を優先的に再生させることとすることで、よりカラオケ歌唱の場の雰囲気の発揚を促すことができるものである。さらに、ログインした利用者の歌唱動画が存在しない場合でも、過去の同伴者の歌唱映像が存在すればそれを再生することから、話題性を提供することができるものである。
【００６３】
さらにまた、ログインした利用者に関連した歌唱映像をログイン直後や曲間で再生させることで、予約楽曲を選択するための良いきっかけになり、歌唱映像をアップロードした経験がない利用者や、公開された歌唱映像を閲覧したことがない利用者に対して宣伝効果も期待することができ、また、歌唱レベルが高くないなど第三者にとっては魅力に欠ける歌唱映像であっても、仲間内の話題提供となり、記憶されたアップロード歌唱映像を有効活用できるものである。
【産業上の利用可能性】
【００６４】
本発明のカラオケシステムは、カラオケの基本的機能を備えたカラオケ端末及びカラオケ用のサーバの製造、使用、販売等の産業に利用可能である。
【符号の説明】
【００６５】
１１            カラオケ端末
１２            カラオケ本体
１７Ａ          ログイン・ログアウト処理手段
３１            利用者ＩＤ送信手段
３２            歌唱映像取得手段
３３            曲間再生リスト作成手段
３４            曲間判定手段
３５            曲間再生制御手段
４３            歌唱映像データ
４４            曲間再生リスト
５３            曲間映像データベース
６２            サーバ
７３            利用者ＩＤ取得手段
７４            歌唱映像抽出手段
７５            歌唱映像送信手段
７９            取得利用者情報
８０            抽出歌唱映像データ
８１            利用者情報データベース
８２            アップロード歌唱映像データベース
【図１】
0006376956.tif 000002
【図２】
0006376956.tif 000003
【図３】
0006376956.tif 000004
【図４】
0006376956.tif 000005
【図５】
0006376956.tif 000006
【図６】
0006376956.tif 000007
【図７】
0006376956.tif 000008